(57)【特許請求の範囲】
【請求項１】
板状のパネルと、
前記パネルの外周部が挿入されて前記外周部を保持する保持溝を有したフレームと、
前記保持溝に挿入される前記パネルの前記外周部の長さ方向の一部のみにおいて前記パネルの前記外周部に装着され、前記パネルの表面から前記保持溝の内側面に向かって突出するよう設けられた突出部材と、
前記保持溝の内側面から前記パネルの表面側に突出して形成された溝側拘束部と、
を備え、
前記パネルの前記外周部に貫通孔が形成され、
前記突出部材は、前記貫通孔に挿入され、少なくとも一方の端部が前記パネルから突出するピンであり、
該ピンは、前記パネルの表面から前記保持溝の内側面に向かって突出するピン頭部を有し、
前記溝側拘束部は、前記ピン頭部と干渉して、前記パネルの前記保持溝の開口からの脱落を抑制していることを特徴とする仕切体。
【請求項２】
前記ピン頭部は、前記貫通孔の内径よりも大きな外径を有していることを特徴とする請求項１に記載の仕切体。
【請求項３】
前記パネルの前記外周部に沿って前記貫通孔が少なくとも２つ形成され、
互いに隣接する２つの前記貫通孔のうち、一方の前記貫通孔に挿入された前記ピンは、前記パネルの一方の面から前記ピン頭部が突出し、他方の前記貫通孔に挿入された前記ピンは、前記パネルの他方の面から前記ピン頭部が突出していることを特徴とする請求項１または２に記載の仕切体。
【請求項４】
前記突出部材が前記パネルと前記保持溝の壁面との間で弾性変形可能であることを特徴とする請求項１から３のいずか一項に記載の仕切体。
【請求項５】
請求項１から４のいずれか一項に記載の仕切体と、
前記仕切体を上面に備えた什器本体と、
を備えることを特徴とする什器。
【発明の詳細な説明】
【技術分野】
【０００１】
本発明は、仕切体、什器に関する。
【背景技術】
【０００２】
オフィス等においては、空間を仕切るため、床面上に立設したパーティション、デスクやカウンターの天板上に立設した仕切パネル等、パネル状の仕切体が多用されている。
【０００３】
このような仕切体として、矩形状のフレームの内側に薄いパネル体を設けた構成のものがある（例えば特許文献１参照）。
特許文献１に開示されているように、パネル体は、フレームの内周部に沿って形成された溝に、パネル体の外周部を挿入することで保持されている。ここで、フレーム内でパネル体がガタついたりするのを防ぐため、パネル体とフレームの溝との間には、保持部材を設けている。保持部材は、フレームの溝が連続する方向に延び、同一断面形状が連続する樹脂製の押出成形品からなる。
【先行技術文献】
【特許文献】
【０００４】
【特許文献１】特開２００８−１８８３４２号公報
【発明の概要】
【発明が解決しようとする課題】
【０００５】
しかしながら、仕切体の組立の際等に、保持部材を介してフレームの溝に挿入されたパネル体が、溝から脱落してしまう可能性がある。すると、作業性が損なわれたり、脱落したパネル体に傷がついたり破損してしまうという問題点がある。
【０００６】
また、押出成形品で保持部材を製作するには、金型費等の多大なコストがかかる。
【０００７】
さらに、仕切体の組立に際しては、パネル体の外周部に保持部材を嵌め込むとともに、保持部材をフレームの溝に嵌め込まなければならない。保持部材はフレームの溝が連続する方向に延びているため、保持部材をフレームの溝に嵌め込む際に、保持部材とフレームの内面との接触によりパネルの幅方向にわたって摩擦が生じるため、パネルを円滑に嵌め込むことができず、組立性が良くないという問題点がある。
そこでなされた本発明の目的は、パネルの脱落を防止するとともに、より低コストで、組立性を向上させることのできる仕切体、什器を提供することである。
【課題を解決するための手段】
【０００８】
本発明は、上記課題を解決するため、以下の手段を採用する。
この発明に係る仕切体は、板状のパネルと、前記パネルの外周部が挿入されて前記外周部を保持する保持溝を有したフレームと、前記保持溝に挿入される前記パネルの前記外周部の長さ方向の一部のみにおいて前記パネルの前記外周部に装着され、前記パネルの表面から前記保持溝の内側面に向かって突出するよう設けられた突出部材と、前記保持溝の内側面に、前記パネルの表面側に突出して形成された溝側拘束部と、を備え、前記パネルの前記外周部に貫通孔が形成され、前記突出部材は、前記貫通孔に挿入され、少なくとも一方の端部が前記パネルから突出するピンであり、該ピンは、前記パネルの表面から前記保持溝の内側面に向かって突出するピン頭部を有し、前記溝側拘束部は、前記ピン頭部と干渉して、前記パネルの前記保持溝の開口からの脱落を抑制している。
【０００９】
これにより、パネルが保持溝の開口から脱落する方向に移動したときに、突出部材と溝側拘束部とが干渉することで、仕切体の組立時等に、パネルが保持溝の開口から脱落するのを防ぐことができる。
また、突出部材は、保持溝に挿入されるパネルの外周部の長さ方向の一部においてパネルの外周部に装着されている。したがって、保持溝に挿入されるパネルの外周部の長さ方向の全体にわたって連続する押出成形品を用いる必要がないため、コストを抑えることができる。
また、突出部材は、保持溝に挿入されるパネルの外周部の長さ方向の一部のみに装着されている。このため、例えば、保持溝に挿入されるパネルの外周部の長さ方向の全体にわたって装着されている場合よりも、保持溝にパネルの外周部が挿入された状態で、突出部材と保持溝の両側面との間に生じる摩擦力を抑えることができる。よって、パネルのフレームへの装着を容易に行うことができる。
また、パネルに装着されたピンの少なくとも一方の端部が溝側拘束部と干渉することで、パネルが保持溝から脱落するのを防止できる。また、ピンの少なくとも一方の端部が保持溝の側面に突き当たることで、パネルがフレームに対して板厚方向に変位するのを拘束することができる。また、パネルの外周部に形成された貫通孔にピンを挿入するのみで、突出部材をパネルに容易に装着することができる。
【００１２】
また、この発明に係る仕切体は、上記仕切体において、前記ピン頭部は、前記貫通孔の内径よりも大きな外径を有していてもよい。
このように構成することで、ピン頭部が、パネルと保持溝の側面との間に挟み込まれることで、パネルは、ピン頭部側への移動が規制される。
【００１３】
また、この発明に係る仕切体は、上記仕切体において、前記パネルの前記外周部に沿って前記貫通孔が少なくとも２つ形成され、互いに隣接する２つの前記貫通孔のうち、一方の前記貫通孔に挿入された前記ピンは、前記パネルの一方の面から前記ピン頭部が突出し、他方の前記貫通孔に挿入された前記ピンは、前記パネルの他方の面から前記ピン頭部が突出していてもよい。
このように構成することで、パネルの一方の側面には一方のピンのピン頭部が配置され、パネルの他方の側面には他方のピンのピン頭部が配置される。これにより、パネルの両面のそれぞれにおいてピン頭部がパネルと保持溝の側面との間に挟み込まれることで、パネルの板厚方向への移動を確実に規制することができる。
【００１５】
また、この発明に係る仕切体は、上記仕切体において、前記突出部材が前記パネルと前記保持溝の壁面との間で弾性変形可能であるようにしてもよい。
このようにすることで、パネルの振動等を抑えることができる。
【００１６】
この発明に係る什器は、上記したような仕切体と、前記仕切体を上面に備えた什器本体と、を備えることを特徴とする。
【発明の効果】
【００１７】
この発明に係る仕切体、什器によれば、パネルが保持溝の開口から脱落する方向に移動したときに、突出部材と溝側拘束部とが干渉することで、仕切体の組立時等に、パネルが保持溝の開口から脱落するのを確実に防ぐことができる。また、突出部材は、保持溝の長さ方向の一部のみに装着され、パネルの外周部に沿って連続する押出成形品を用いる必要がなく、低コスト化を図ることができる。また、パネルの外周部の周方向の一部のみに突出部材を装着するのみでよいので、突出部材の装着を容易に行うことができ、仕切体の組立性を向上させることができる。
【図面の簡単な説明】
【００１８】
【図１】この発明の一実施形態に係る仕切体を備えたデスクを示す斜視図である。
【図２】仕切体の部品構成を示す斜視展開図である。
【図３】仕切体の縦断面図である。
【図４】仕切体のデスクに対する固定構造の一例を示す斜視図である。
【図５】位置決め部材の変形例を示す図である。
【図６】図５に示した位置決め部材を用いてパネルを上部フレームに装着する構成を示す斜視図である。
【発明を実施するための形態】
【００１９】
以下、添付図面を参照して、本発明による仕切体、什器を実施するための形態を説明する。しかし、本発明はこれらの実施形態のみに限定されるものではない。
【００２０】
図１は、仕切体を備えたデスクを示す斜視図である。
図１に示すように、デスク（什器、什器本体）１０は、床面上に一方向に間隔をあけて設置された脚体１２，１２と、脚体１２上に支持される天板部１１と、を備えている。
なお、以下の説明において、脚体１２，１２が間隔をあけて設置された前記の一方向を「幅方向」、水平面内において幅方向に直交する方向を「前後方向」として説明する。
【００２１】
天板部１１は、二枚一対の天板部材１１ａ，１１ａからなる。天板部材１１ａ，１１ａは、それぞれ平面視長方形状で、その長手方向を幅方向に向けて配置されている。これら天板部材１１ａ，１１ａは、脚体１２，１２上に、前後方向に間隔をあけて設置されている。前後方向において互いに対向する天板部材１１ａ，１１ａ間に形成された開口１４には、開口１４を塞ぐ配線カバー１５，１５が、前後方向に隣接して設置可能とされている。
【００２２】
このようなデスク１０の天板部１１上には、仕切体２０が設けられている。仕切体２０は、正面視矩形状の枠体２１と、枠体２１の内方に保持されたパネル３０と、を備えている。
【００２３】
図２は、仕切体の部品構成を示す斜視展開図である。図３は仕切体の縦断面図である。
図２に示すように、枠体２１は、デスク１０の幅方向に離間して配置された一対の支柱２２，２２と、上部フレーム（フレーム）２３と、下部フレーム（フレーム）２４と、を備えている。
【００２４】
各支柱２２は、上下方向に延び、平断面視矩形状の管状をなしている。支柱２２のパネル３０側を向く側面２２ｓの上端部には、上下に間隔を開けてボルト挿通孔２２ｈ、２２ｈが形成されている。また、支柱２２において、側面２２ｓと反対側の側面２２ｔの上端部には、上端面から下方に向かって、ボルト挿通孔２２ｈ、２２ｈに挿通するボルト２５、２５を通すための凹部２２ｍが形成されている。
【００２５】
また、支柱２２の側面２２ｓの下端部には、ボルト挿通孔２２ｊが形成されている。支柱２２の側面２２ｔの下端部には、ボルト挿通孔２２ｊに対向する位置に、ボルト挿通孔２２ｊに挿通するボルト２６を通すための貫通孔２２ｎが形成されている。
この貫通孔２２ｎには、この貫通孔２２ｎを塞ぐ支柱下部キャップ２２Ｃが装着可能とされている。
【００２６】
さらに、管状をなす支柱２２の底部は、底面２２ｂにより塞がれている。底面２２ｂには、雌ネジ孔（図示なし）が複数形成されている。
【００２７】
また、支柱２２の上端部には、キャップ２９が装着可能とされている。キャップ２９は、支柱２２の上端部の開口を塞ぐプレート部２９ａと、プレート部２９ａの下面から下方に延出し、支柱２２の内周面に係合する複数の係合片２９ｂと、凹部２２ｍ内に挿入されて凹部２２ｍを塞ぐ凹部閉塞部２９ｃと、を一体に備えている。
【００２８】
上部フレーム２３は、支柱２２，２２の上端部同士を連結する。図２、図３に示すように、本実施形態では、上部フレーム２３は、デスク１０の幅方向を軸方向として、軸方向に同一断面形状が連続する押出材であり、上部プレート部２３ａと、下部プレート部２３ｂと、中間プレート部２３ｃと、パネル保持部（保持溝）２３ｄと、を一体に備える。
【００２９】
上部プレート部２３ａは、水平面内に位置する平面状で、両側端には、下方に向かって垂下する上部垂下部２３ｅ，２３ｅを一体に備えている。
下部プレート部２３ｂは、水平面内に位置する平面状で、上部プレート部２３ａに対して上下方向に間隔を開けて平行に配置されている。下部プレート部２３ｂの両側端には、上方に向かって延出する下部延出部２３ｆ，２３ｆを一体に備えている。
【００３０】
中間プレート部２３ｃは、上下方向に延び、上部プレート部２３ａと下部プレート部２３ｂとを一体に連結する。中間プレート部２３ｃは、上部プレート部２３ａの幅方向（デスク１０における前後方向）に間隔を開けて二枚一対で設けられている。
二枚の中間プレート部２３ｃ，２３ｃの間には、上部プレート部２３ａ側と下部プレート部２３ｂ側に、ボルト２５の先端部がねじ込まれるネジ締結凹部２３ｎ，２３ｎが形成されている。
【００３１】
パネル保持部２３ｄは、下部プレート部２３ｂの下側に一体に設けられている。パネル保持部２３ｄは、下部プレート部２３ｂから垂下する二枚一対の保持プレート２３ｐ、２３ｐを備えている。これら保持プレート２３ｐ、２３ｐは、下部プレート部２３ｂの幅方向（デスク１０における前後方向）に間隔を開けて設けられている。
各保持プレート２３ｐの下端部には、対向する他方の保持プレート２３ｐ側に向かって突出する端部プレート部（溝側拘束部）２３ｑが一体に形成されている。互いに対向する端部プレート部２３ｑ，２３ｑの先端部同士は、下部プレート部２３ｂの幅方向（デスク１０における前後方向）に、パネル３０の板厚とほぼ同寸の間隔（開口）を開けて対向配置されている。
【００３２】
下部フレーム２４は、支柱２２，２２の下端部同士を連結する。本実施形態では、下部フレーム２４は、デスク１０の幅方向を軸方向として、軸方向に同一断面形状が連続する押出材であり、ベース部２４ａと、パネル保持部（保持溝）２４ｂと、下部突起部２４ｃと、を一体に備えている。
【００３３】
パネル保持部２４ｂは、二枚一対の保持プレート２４ｐ，２４ｐからなる。各保持プレート２４ｐは、ベース部２４ａの両側端からそれぞれ上方に向かって延出するよう形成されている。これにより、保持プレート２４ｐ，２４ｐは、ベース部２４ａの幅方向（デスク１０における前後方向）に間隔を開けて設けられている。
【００３４】
各保持プレート２４ｐの上端部には、対向する他方の保持プレート２４ｐ側に向かって突出する端部プレート部（溝側拘束部）２４ｄが一体に形成されている。互いに対向する端部プレート部２４ｄ，２４ｄの先端部同士は、ベース部２４ａの幅方向（デスク１０における前後方向）に、パネル３０の板厚とほぼ同寸の間隔（開口）を開けて対向配置されている。
【００３５】
また保持プレート２４ｐ，２４ｐの間には、ベース部２４ａ側に、ボルト２６の先端部がねじ込まれるネジ締結凹部２４ｎが形成されている。
【００３６】
下部突起部２４ｃは、ベース部２４ａの下面から下方に向かって垂下している。
【００３７】
パネル３０は、矩形の平板状で、例えばアクリル等の樹脂系材料、ガラス系材料等から形成されている。
パネル３０の上端部３０ａおよび下端部３０ｂの幅方向中央部には、ピン挿通孔（貫通孔）３１，３１が形成されている。この実施形態において、ピン挿通孔３１は、パネル３０の幅方向に間隔を開けて２カ所に形成されている。
【００３８】
パネル３０の各ピン挿通孔３１には、ピン状をなした位置決め部材（突出部材、ピン）４０Ａが挿入される。位置決め部材４０Ａは、ピン挿通孔３１に挿通される円柱状のピン部４１と、ピン部４１の一端に設けられ、ピン部４１よりも大きな外径を有した頭部４２と、を一体に備えている。このような位置決め部材４０Ａは、頭部４２の厚さが、パネル３０と保持プレート２３ｐとの隙間とほぼ等しく設定されている。
【００３９】
このような位置決め部材４０Ａは、パネル３０のいずれか一方の側からピン部４１をピン挿通孔３１に挿通されている。このとき、パネル３０の上端部３０ａおよび下端部３０ｂのそれぞれにおいて、互いに隣接するピン挿通孔３１，３１の一方には、パネル３０の一方の面側からピン部４１が挿通され、ピン挿通孔３１，３１の他方には、パネル３０の他方の面側からピン部４１が挿通されている。これにより、一方の位置決め部材４０Ａの頭部４２は、パネル３０の一方の表面からパネル保持部２４ｂの一方の保持プレート２４ｐに向かって突出するように設けられ、他方の位置決め部材４０Ａの頭部４２は、パネル３０の他方の表面からパネル保持部２４ｂの他方の保持プレート２４ｐに向かって突出するよう設けられている。
【００４０】
また、図２に示すように、パネル３０の両側端部３０ｃ、３０ｄには、それぞれ断面コ字状のスペーサ３８が装着されている。断面コ字状のスペーサ３８の内周面には、ウレタン等のクッション材（図示なし）が設けられ、スペーサ３８とパネル３０の両側端部３０ｃ，３０ｄとの間に介在させるのが好ましい。
【００４１】
上記したような仕切体２０を組み立てるには、まず、パネル３０の上端部３０ａおよび下端部３０ｂのピン挿通孔３１に、それぞれ位置決め部材４０Ａのピン部４１を挿通させる。このとき、前述したように、パネル３０の上端部３０ａおよび下端部３０ｂのそれぞれにおいて、互いに隣接するピン挿通孔３１，３１の一方には、パネル３０の一方の面側からピン部４１を挿通し、ピン挿通孔３１，３１の他方には、パネル３０の他方の面側からピン部４１を挿通させる。
【００４２】
次いで、パネル３０の上端部３０ａ，下端部３０ｂを、上部フレーム２３のパネル保持部２３ｄ、下部フレーム２４のパネル保持部２４ｂに保持させる。これには、上部フレーム２３の一端側から、上部フレーム２３とパネル３０とを、上部フレーム２３の軸方向（デスク１０の幅方向）に沿って相対移動させ、パネル保持部２３ｄの保持プレート２３ｐ，２３ｐの間に、パネル３０の上端部３０ａを挿入していく。そして、パネル３０の上端部３０ａに装着された位置決め部材４０Ａが、保持プレート２３ｐ，２３ｐの間に入り込む。同様にして、下部フレーム２４の一端側から、下部フレーム２４とパネル３０とを、下部フレーム２４の軸方向（デスク１０の幅方向）に沿って相対移動させ、パネル保持部２４ｂの保持プレート２４ｐ，２４ｐの間に、パネル３０の下端部３０ｂを挿入していく。そして、パネル３０の下端部３０ｂに装着された位置決め部材４０Ａが、保持プレート２４ｐ，２４ｐの間に入り込む。
このようにして、パネル３０の上端部３０ａ、下端部３０ｂの全体を、上部フレーム２３のパネル保持部２３ｄ，下部フレーム２４のパネル保持部２４ｂに収めていく。
【００４３】
この状態で、頭部４２の厚さが、パネル３０と保持プレート２３ｐとの隙間とほぼ等しく設定されている。そして、互いに隣接するピン挿通孔３１，３１の一方には、パネル３０の一方の面側からピン部４１が挿通され、ピン挿通孔３１，３１の他方には、パネル３０の他方の面側からピン部４１が挿通されている。これにより、パネル３０の両面側において、パネル３０と保持プレート部２３ｐ，２３ｐ、２４ｑ，２４ｑとの間に、位置決め部材４０Ａの頭部４２がそれぞれ挟み込まれている。その結果、パネル３０は、一方の位置決め部材４０Ａの頭部４２と、他方の位置決め部材４０Ａの頭部４２とによって、パネル３０の板厚方向への移動が規制される。これによって、パネル３０は、その板厚方向におけるガタつきを抑えることができる。
加えて、位置決め部材４０Ａの頭部４２が、上部フレーム２３の端部プレート部２３ｑ，２３ｑ、下部フレーム２４の端部プレート部２４ｄ，２４ｄに干渉することで、位置決め部材４０Ａおよび位置決め部材４０Ａが装着されたパネル３０の上下方向への変位量が拘束される。これによって、パネル３０が上下方向に移動してパネル保持部２３ｄ，２４ｂから脱落するのを防ぐことができる。
【００４４】
次いで、スペーサ３８を、パネル３０の両側端部３０ｃ，３０ｄに図示しない固着手段によって固着する。
続いて、上部フレーム２３，下部フレーム２４の両端部に、支柱２２をそれぞれ連結する。これには、支柱２２の側面２２ｓを、上部フレーム２３，下部フレーム２４の端部に押し当てる。そして、支柱２２の側面２２ｔに形成された凹部２２ｍを通して、側面２２ｓの上端部のボルト挿通孔２２ｈ，２２ｈに、ボルト２５，２５を挿通させる。各ボルト２５は、上部フレーム２３の端部に露出したネジ締結凹部２３ｎに先端部をねじ込んで締結する。同様に、支柱２２の側面２２ｔに形成された貫通孔２２ｎを通して、側面２２ｓの下端部のボルト挿通孔２２ｊに、ボルト２６を挿通させる。ボルト２６は、下部フレーム２４の端部に吐出したネジ締結凹部２４ｎに先端部をねじ込んで締結する。この状態で、スペーサ３８は、パネル３０の両側端部３０ｃ，３０ｄと、支柱２２の側面２２ｓと間に挟み込まれ、これらの間の隙間を閉塞する。
【００４５】
この後、それぞれの支柱２２の上端部に、キャップ２９を装着する。また、支柱２２の下端部の貫通孔２２ｎに、支柱下部キャップ２２Ｃを装着する。
これにより、仕切体２０の組立が完了する。
【００４６】
図４は、仕切体のデスクに対する固定構造の一例を示す斜視図である。
図４に示すように、仕切体２０は、デスク１０に対し、ブラケット５０を用いて装着される。
ブラケット５０は、例えば、支柱２２の底面２２ｂに沿う支持プレート部５１と、支持プレート部５１の一側端から下方に垂下する垂下部５２と、垂下部５２の下端から支持プレート部５１とは反対側に延出するベース部５３と、を一体に備えている。
このようなブラケット５０は、支持プレート部５１に形成された複数のボルト挿通孔５１ｈを通し、各支柱２２の底面２２ｂに形成された雌ネジ孔（図示なし）にボルト５４をねじ込むことで、支柱２２の下端部に連結される。
【００４７】
そして、仕切体２０の両側端部の支柱２２の下端部に取り付けられたブラケット５０のベース部５３を、デスク１０の脚体１２から側方に突出して設けられた支持台部１２ｓ上に載せる。ベース部５３に形成された複数のボルト挿通孔５３ｈを通し、支持台部１２ｓに形成された複数のネジ穴１２ｈにそれぞれボルト５５をねじ込むことで、ブラケット５０を介して仕切体２０がデスク１０に固定される。
【００４８】
上述した仕切体２０およびそれを備えたデスク１０は、板状のパネル３０と、パネル３０の外周部を保持するパネル保持部２３ｄ，２４ｂを有した上部フレーム２３，下部フレーム２４と、パネル保持部２３ｄ，２４ｂの長さ方向の一部のみにおいてパネル３０の外周部に装着され、パネル３０の表面からパネル保持部２３ｄ，２４ｂの内側面を形成する保持プレート２３ｐ，２４ｐに向かって突出するよう設けられた位置決め部材４０Ａと、パネル保持部２３ｄ，２４ｂからパネル３０の表面側に突出して形成され、保持プレート２３ｐ，２４ｐに沿う方向への位置決め部材４０Ａの移動を拘束することで、パネル３０がパネル保持部２３ｄ，２４ｂの開口から脱落するのを規制する端部プレート部２３ｑ，２３ｑ、２４ｄ，２４ｄと、と、を備える。
これにより、仕切体２０の組立時等に、パネル３０が移動してパネル保持部２３ｄ，２４ｂから脱落するのを確実に防ぐことができる。これによっても仕切体２０の組立性を向上させることができる。
【００４９】
また、このような位置決め部材４０Ａは、パネル保持部２３ｄ，２４ｂの長さ方向の一部のみに装着されるので、パネル３０の外周部に沿って連続する押出成形品を用いる必要がない。したがって、低コスト化を図ることができる。
また、パネル３０の外周部に対し、パネル保持部２３ｄ，２４ｂの長さ方向の一部のみに位置決め部材４０Ａを装着するのみでよいので、位置決め部材４０Ａの装着を容易に行うことができ、仕切体２０の組立性を向上させることができる。
【００５０】
また、位置決め部材４０Ａは、パネル３０の両面に突出してパネル保持部２３ｄ，２４ｂの両側面に頭部４２が突き当たることで、パネル３０の板厚方向への移動を拘束する。これにより、パネル３０が枠体２１に対して板厚方向に変位するのを拘束することができる。
【００５１】
さらに、パネル３０の外周部にピン挿通孔３１が形成され、位置決め部材４０Ａはピン挿通孔３１に挿入されたピン状をなしている。このように構成することで、位置決め部材４０Ａの両端部がパネル保持部２３ｄ，２４ｂの両側面を形成する保持プレート２３ｐ，２３ｐ、２４ｐ，２４ｐに突き当たることで、パネル３０が上部フレーム２３，下部フレーム２４に対して板厚方向に変位するのを拘束することができる。また、パネル３０の外周部に形成されたピン挿通孔３１に位置決め部材４０Ａを挿入するのみで、位置決め部材４０Ａをパネル３０に容易に装着することができる。
【００５２】
さらに、位置決め部材４０Ａの一端には、ピン挿通孔３１の内径よりも大きな外径を有した頭部４２が形成されている。このように構成することで、頭部４２が、パネル３０の一面側と、パネル保持部２３ｄ，２４ｂの側面との間に挟み込まれることで、パネル３０は、位置決め部材４０Ａの頭部４２側への移動が規制される。
【００５３】
パネル３０の外周部に沿ってピン挿通孔３１が少なくとも２つ形成され、互いに隣接する２つのピン挿通孔３１のうち、一方のピン挿通孔３１には、パネル３０の一方の側から位置決め部材４０Ａが挿入され、他方のピン挿通孔３１には、パネル３０の他方の側から位置決め部材４０Ａが挿入されている。
このように構成することで、パネル３０の両面にそれぞれ位置決め部材４０Ａの頭部４２が配置され、パネル３０とパネル保持部２３ｄ，２４ｂの側面との間に挟み込まれることで、パネル３０の板厚方向への移動を確実に規制することができる。
【００５４】
（変形例）
なお、上記実施形態において、位置決め部材４０Ａを例示したが、適宜他の構成に変更することが可能である。
図５は、位置決め部材の変形例を示す図である。図６は、図５に示した位置決め部材を用いてパネルを上部フレームに装着する構成を示す斜視図である。
この図５に示すように、位置決め部材（突出部材）４０Ｂは、本体部６１と、本体部６１に形成された係止爪６２と、を一体に備えている。
【００５５】
本体部６１は、断面視下向き略コ字状で、パネル３０の外周端面３０ｓに沿うベース部６１ａと、ベース部６１ａの両側端部から直交して延びる側部プレート部（板状部）６１ｂ，６１ｂとを一体に備えている。
側部プレート部６１ｂ、６１ｂは、パネル３０の板厚と同等またはそれよりもわずかに大きな間隔を開けて対向配置されている。
【００５６】
係止爪６２は、側部プレート部６１ｂ，６１ｂのそれぞれに、対向する他の側部プレート部６１ｂ側に突出して形成されている。係止爪６２は、側部プレート部６１ｂからの突出高さが、側部プレート部６１ｂの先端からベース部６１ａ側に向かって漸次大きくなるよう、クサビ状に形成されている。
【００５７】
このような位置決め部材４０Ｂは、パネル３０の上端部３０ａおよび下端部３０ｂのそれぞれに装着される。パネル３０の上端部３０ａおよび下端部３０ｂには、係止爪６２が係合可能な凹部または貫通孔６３が形成されている。なお、図５、図６では、パネル３０の上端部３０ａのみを図示している。
【００５８】
位置決め部材４０Ｂは、パネル３０の外周部に装着される。これには、位置決め部材４０Ｂの側部プレート部６１ｂ，６１ｂ間にパネル３０を挿入し、各係止爪６２を凹部または貫通孔６３に係止させる。これにより、位置決め部材４０Ｂがパネル３０に対して位置決め固定される。この状態で、位置決め部材４０Ｂの側部プレート部６１ｂは、パネル３０の両側面に直交する方向に突出している。
【００５９】
位置決め部材４０Ｂを装着したパネル３０は、上端部３０ａおよび下端部３０ｂを、上部フレーム２３のパネル保持部２３ｄ、下部フレーム２４のパネル保持部２４ｂに保持させる。これには、上部フレーム２３の一端側から、上部フレーム２３とパネル３０とを、上部フレーム２３の軸方向（デスク１０の幅方向）に沿って相対移動させ、パネル保持部２３ｄの保持プレート２３ｐ，２３ｐの間に、パネル３０の上端部３０ａを挿入していく。そして、パネル３０の上端部３０ａに装着された位置決め部材４０Ｂが、保持プレート２３ｐ，２３ｐの間に入り込む。同様にして、下部フレーム２４の一端側から、下部フレーム２４とパネル３０とを、下部フレーム２４の軸方向（デスク１０の幅方向）に沿って相対移動させ、パネル保持部２４ｂの保持プレート２４ｐ，２４ｐの間に、パネル３０の下端部３０ｂを挿入していく。そして、パネル３０の下端部３０ｂに装着された位置決め部材４０Ｂが、保持プレート２３ｐ，２３ｐの間に入り込む。
このようにして、パネル３０の上端部３０ａ、下端部３０ｂの全体を、上部フレーム２３のパネル保持部２３ｄ，下部フレーム２４のパネル保持部２４ｂに収めていく。
【００６０】
この状態で、パネル３０の両側に位置する位置決め部材４０Ｂの側部プレート部６１ｂ，６１ｂが、パネル３０の両面と、上部フレーム２３の保持プレート２３ｐ、２３ｐ、下部フレーム２４の保持プレート２４ｐ，２４ｐとの間に挟み込まれる。これにより、位置決め部材４０Ｂは、パネル３０の板厚方向におけるガタつきが少ない。
加えて、位置決め部材４０Ｂの側部プレート部６１ｂ，６１ｂが上部フレーム２３の端部プレート部２３ｑ，２３ｑ、下部フレーム２４の端部プレート部２４ｄ，２４ｄと干渉することで、位置決め部材４０Ｂおよび位置決め部材４０Ｂが装着されたパネル３０の上下方向への変位が拘束される。
【００６１】
上述したような変形例によれば、位置決め部材４０Ｂは、パネル３０の両面にそれぞれ沿う側部プレート部６１ｂ，６１ｂを有する。このような構成によれば、パネル３０の両面に沿う側部プレート部６１ｂ，６１ｂがパネル保持部２３ｄ，２４ｂの両側面に突き当たることで、パネル３０が上部フレーム２３，下部フレーム２４に対して板厚方向に変位するのを拘束することができる。
【００６２】
（その他の実施形態）
なお、本発明の仕切体、什器は、図面を参照して説明した上述の各実施形態に限定されるものではなく、その技術的範囲において様々な変形例が考えられる。
例えば、上記実施形態においては、仕切体を備える什器としてデスク１０を例に挙げたが、これに限らない。デスク１０以外にも、カウンターやパーティション等の各種の什器に上記したような仕切体を備えることができる。
また、位置決め部材４０Ａ，４０Ｂは、ゴムや軟質樹脂等、弾性変形可能な材料から形成してもよい。これにより、パネル３０の振動等を抑えることが可能となる。
また、ピンの一方の端部がパネルの一の貫通孔の一方側から突出するとともに、ピンの他端がパネルの一の貫通孔の他方側から突出する構成であってもよい。
これ以外にも、本発明の主旨を逸脱しない限り、上記実施の形態で挙げた構成を取捨選択したり、他の構成に適宜変更したりすることが可能である。
【符号の説明】
【００６３】
１０  デスク（什器、什器本体）
１１  天板部
１２  脚体
２０  仕切体
２１  枠体
２２  支柱
２３  上部フレーム（フレーム）
２３ｄ  パネル保持部（保持溝）
２３ｐ  保持プレート
２３ｑ  端部プレート部（溝側拘束部）
２４  下部フレーム（フレーム）
２４ｂ  パネル保持部（保持溝）
２４ｄ  端部プレート部（溝側拘束部）
２４ｐ  保持プレート
３０  パネル
３０ａ  上端部
３０ｂ  下端部
３０ｃ，３０ｄ  両側端部
３０ｓ  外周端面
３１  ピン挿通孔（貫通孔）
４０Ａ  位置決め部材（突出部材、ピン）
４０Ｂ  位置決め部材（突出部材）
４１  ピン部
４２  頭部（ピン頭部）
６１  本体部
６１ａ  ベース部
６１ｂ  側部プレート部（板状部）
６２  係止爪
６３  凹部または貫通孔
【図１】
0006562537.tif 000002
【図２】
0006562537.tif 000003
【図３】
0006562537.tif 000004
【図４】
0006562537.tif 000005
【図５】
0006562537.tif 000006
【図６】
0006562537.tif 000007